(57)【要約】  照明パネルを収納しかつその照明光を外部に取り出す開口を有するハウジングを含む照明装置において、照明パネルは、ストライプ状に平行並置された互いに異なる発光色の複数の帯状の有機ＥＬ素子からなる平面発光部を有する。複数の帯状の有機ＥＬ素子の長手方向がハウジングの開口を含む平面に平行でありかつ、照明パネルの平面発光部は、ハウジングの開口を含む平面に対し傾斜して配置されている。
2013088572.tif 000002
【特許請求の範囲】
【請求項１】
照明パネルと前記照明パネルを収納しかつ前記照明パネルの照明光を外部に取り出す開口を有するハウジングとを含む照明装置であって、
前記照明パネルは、ストライプ状に平行並置された互いに異なる発光色の複数の長手帯状の有機ＥＬ素子からなる少なくとも１つの平面発光部を有し、
前記複数の帯状の有機ＥＬ素子の長手方向が前記開口を含む平面に平行でありかつ、前記平面発光部は、前記開口を含む平面に対し傾斜して配置されていることを特徴とする照明装置。
【請求項２】
前記有機ＥＬ素子は、駆動時において、前記有機ＥＬ素子の長手方向に沿った法平面以外において放射輝度分布が極大値を有することを特徴とする請求項１に記載の照明装置。
【請求項３】
前記開口を含む平面と前記照明パネルの平面発光部のなす角度θは、隣接する前記有機ＥＬ素子の間の周期間隔をＳｐとしたとき、Ｓｐ×ｃｏｓθ≦３８０［μｍ］を満たすことを特徴とする請求項２に記載の照明装置。
【請求項４】
前記ハウジングの内壁の少なくとも１部が鏡面処理を施されていることを特徴とする請求項２に記載の照明装置。
【請求項５】
前記照明パネルの平面発光部と交差し、かつ、前記平面発光部との交線が前記開口を含む平面に平行な少なくとも１つの平面ミラーをさらに有することを特徴とする請求項２に記載の照明装置。
【請求項６】
前記照明パネルの平面発光部と交差し、かつ、前記平面発光部との交線が前記開口を含む平面に平行な付加照明パネルをさらに有することを特徴とする請求項２に記載の照明装置。
【発明の詳細な説明】
【技術分野】
【０００１】
本発明は、有機エレクトロルミネッセンス（以下、有機ＥＬという）素子を用いた有機ＥＬパネルを含む照明装置に関する。
【背景技術】
【０００２】
近年、自発光素子である有機ＥＬパネルは、平面光源として様々な態様で照明装置に用いられている（特許文献１〜７、参照）。【０００３】
照明装置として白色発光有機ＥＬパネルがよく用いられている。白色発光有機ＥＬパネルは、基板上に複数の赤色発光Ｒ、緑色発光Ｇ及び青色発光Ｂの有機ＥＬ素子の領域すなわちＲＧＢサブピクセルを一定の順番に配置して構成することができる。
【先行技術文献】
【特許文献】
【０００４】
【特許文献１】実開平０１−１４５６４０号公報
【特許文献２】実開平０２−５２２１８号公報
【特許文献３】特開平０３−２４１２８５号公報
【特許文献４】特開平０９−１１５６６７号公報
【特許文献５】特開２００４−０３１３４１号公報
【特許文献６】特開２００９−００９８７２号公報
【特許文献７】特開２００９−２０６０３０号公報
【発明の概要】
【発明が解決しようとする課題】
【０００５】
しかし、白色発光有機ＥＬパネルのＲＧＢサブピクセルのピッチを広くとって製造した場合、ＲＧＢサブピクセル自体が目立ってしまいＲＧＢ発光色の混色が不十分となって、ＲＧＢ発光色の有機ＥＬパネルとなってしまうという問題がある。一方、ＲＧＢサブピクセルのピッチを狭くとって製造した場合、ＲＧＢサブピクセルの開口率が小さくなるので、所望白色輝度を得るための各素子への電流負荷が大きくなり、また、有機ＥＬパネルの製造歩留まりも悪くなるという問題がある。【０００６】
そこで、本発明では、開口率を維持しながらＲＧＢ発光色の混色が十分達成できる照明装置を提供することが課題の一例としてあげられる。
【課題を解決するための手段】
【０００７】
本発明は、照明パネルと前記照明パネルを収納しかつ前記照明パネルの照明光を外部に取り出す開口を有するハウジングとを含む照明装置であって、前記照明パネルは、ストライプ状に平行並置された互いに異なる発光色の複数の帯状の有機ＥＬ素子からなる少なくとも１つの平面発光部を有し、前記複数の帯状の有機ＥＬ素子の長手方向が前記開口を含む平面に平行でありかつ、前記平面発光部は、前記開口を含む平面に対し傾斜して配置されていることを特徴とする。
【図面の簡単な説明】
【０００８】
【図１】本発明の実施例の照明装置を示す概略斜視図である。
【図２】図１中のＡ−Ａ線の断面図である。
【図３】本発明の実施例の有機ＥＬパネルを構成する基板側方向から見た有機ＥＬパネルの平面図である。
【図４】図３中のＣ−Ｃ線に沿った断面図である。
【図５】本発明の有機ＥＬ素子のサブピッチＳｐと観察者の関係を説明するための線図である。
【図６】本発明の他の実施例の照明装置を示す概略斜視図である。
【図７】本発明の他の実施例の照明装置に用いる有機ＥＬパネルの放射輝度分布を示すグラフである。
【図８】本発明の他の実施例の照明装置を示す概略斜視図である。
【図９】本発明の他の実施例の照明装置を示す概略断面図である。
【図１０】本発明の他の実施例の照明装置を示す概略断面図である。
【図１１】本発明の他の実施例の照明装置を示す概略斜視図である。
【図１２】本発明の他の実施例の照明装置を示す概略断面図である。
【図１３】図１３（ａ）は本発明の他の実施例の照明装置構造を示す平面図であり、図１３（ｂ）は図１３（ａ）におけるＤ−Ｄ線に沿った断面図である。
【発明を実施するための形態】
【０００９】
以下に本発明による実施例を図面を参照しつつ説明する。
【００１０】
図１は天井に取り付けられる照明装置１１の第１の実施例を示す概略斜視図である。図２は図１中のＡ−Ａ線に沿った断面図である。図２は照明装置１１を使用する時の状態を示し、図２において、照明装置１１の下方向が光り取り出し方向である。ここでは照明装置１１を天井に設置するものとして説明するが、天井に配設されるものに限らず、例えば床面に垂直な壁面、天井以外の壁などに設置しても良い。
【００１１】
照明装置１１は、外装のハウジング１２を含む。ハウジング１２は、内部に、有機ＥＬパネル１３などを格納する。ハウジング１２には、有機ＥＬパネル１３の照明光を外部に取り出す開口部１４が設けられている。ハウジング１２の開口部１４の周りにはフランジＦＬが天井への取り付け部として働くように設けられている。
【００１２】
有機ＥＬパネル１３は、図１に示すように、ストライプ状に平行並置された互いに異なる発光色の複数の帯状の有機ＥＬ素子１３ａからなる平面発光部１３Ａを有する。図１において有機ＥＬ素子１３ａの集合の平面発光部１３Ａはそのストライプ伸長方向と平行なハッチングで示されている。有機ＥＬパネル１３は、ハウジング１２に固着されているパネル支持部１５を介してハウジング１２に固定されている。有機ＥＬパネル１３は例えばネジなどによりパネル支持部１５に固定されている。有機ＥＬパネル１３の固定方法は特に限定されない。
【００１３】
有機ＥＬパネル１３として例えばパネル平面ｘｙ方向に広がる平面状のものが用いられ、有機ＥＬパネルの光取り出し側の面発光部が開口部１４から観察者に見られるように有機ＥＬパネル１３は配置されている。特に、図１及び図２に示すように、有機ＥＬパネル１３は、ハウジング１２の開口部１４を含むＸＹ平面（開口平面ＸＹ方向）から奥行き方向Ｚに角度θにて傾斜して配置されている。
【００１４】
さらに、有機ＥＬパネル１３は、有機ＥＬ素子１３ａのそれぞれの長手方向がハウジング１２の開口部１４を含む開口平面ＸＹに平行となるように、ハウジング１２に固定されている。照明装置１１真下の観察者が開口部１４を介して有機ＥＬパネル１３を見た場合、観察者はストライブ状の有機ＥＬ素子１３ａをパネル平面ｘｙ方向の法線方向からでなく、それから傾斜した方向から有機ＥＬパネル１３を見ることになる。
【００１５】
図２に示すように、ハウジング１２の奥行き方向Ｚにおける有機ＥＬパネル１３の裏側のハウジング１２の内面に駆動回路１６を配置できる。駆動回路１６は、外部の電力供給ラインに接続され、有機ＥＬパネル１３に電力を供給するための電気回路である。駆動回路１６は、有機ＥＬパネル１３の複数の有機ＥＬ素子１３ａ（発光素子）を発光色ごとに異なる条件で駆動できるように駆動回路を構成しても良い。駆動回路１６と有機ＥＬパネル１３とは導電ケーブルＣｃで接続される。
【００１６】
なお、照明装置１１を照明モジュールとして照明設備に用いる場合、図２に示す開口部１４の周りにはフランジＦＬや駆動回路１６は必ずしも設ける必要はなく、他の外部固定手段や電力供給手段を設けることができる。有機ＥＬパネルへの電力供給ラインは有機ＥＬパネルでは少なくとも陽極と陰極の為に２本が必要である。その他、複数の発光素子を配置した有機ＥＬパネルを用いた場合、それぞれの発光素子を異なる条件で駆動させたい場合は、電力供給ラインは３本以上必要となる。
【００１７】
［有機ＥＬパネル１３］
図３は、本実施例の有機ＥＬパネルを構成する基板側方向（パネル法線方向ｚ）から見た有機ＥＬパネル１３の平面図である。図４は、有機ＥＬパネル１３の構成を示す図３におけるＣ−Ｃ線に沿った断面図である。
【００１８】
図３に示すように、有機ＥＬパネル１３においては、平行にストライプ状に並置された有機ＥＬ素子１３ａは、例えば、赤色発光Ｒ、緑色発光Ｇ及び青色発光Ｂの互いに異なる発光色の有機ＥＬ素子の組（ＲＧＢストライプともいう）を逐次並べて構成できる。すなわち、有機ＥＬ素子１３ａはＲＧＢ発光色の組のピッチＬｐと各組内のサブピッチＳｐ（有機ＥＬ素子１３ａの短手方向の幅とバンク幅の合計であるが、実質的に有機ＥＬ素子１３ａの短手幅である）とで、互いに一定の周期間隔おいてｘ方向に並置されている。
【００１９】
図４に示すように、有機ＥＬパネル１３は、ガラスや樹脂などの光透過性を有する光透過性の基板２０、透明電極３０、バスライン４０、発光層を含む有機層５０、反射電極６０が積層されて構成される。有機ＥＬパネル１３は、透明電極３０と反射電極６０との間に電圧を印加することにより発光層において生成される光を基板２０の表面から取り出す所謂ボトムエミッション型の有機ＥＬパネルである。基板２０の光取り出し面は平坦面となり、基板２０の光取り出し面とは反対側の面に有機ＥＬ素子１３ａを有する。
【００２０】
陽極を構成する複数の透明電極３０は、それぞれ帯状をなしており、基板２０上においてｙ方向に沿って伸長し、互いに一定間隔おいてｘ方向に平行に並置されている。透明電極３０の各々は、例えばＩＴＯ（Indium Tin Oxide）やＩＺＯ（Indium Zinc Oxide）等の金属酸化物導電体等からなる。
【００２１】
透明電極３０の各々の端側上には、透明電極３０に電源電圧を供給する為のバスライン４０がｙ方向に沿って伸長して形成されている。
【００２２】
基板２０及び透明電極３０のバスライン４０上には絶縁膜ＢＫが形成されている。絶縁膜ＢＫには、各々がｙ方向に伸張するストライプ状の開口部が形成されている。絶縁膜ＢＫの表面に複数の開口部を設けることにより複数のバンク（隔壁）が形成される。開口部の各々は、透明電極３０に達しており、開口部の底面において透明電極３０各々の表面が有機層５０に接している。
【００２３】
絶縁膜ＢＫの各開口部内における透明電極３０上には、正孔注入層５１、正孔輸送層５２、発光層５３Ｒ、５３Ｇ、５３Ｂ、電子輸送層５４、電子注入層５５がこの順序で積層されて構成される有機層５０が形成されている。発光層と電子輸送層の間に正孔阻止層を設けることもできる。
【００２４】
発光層５３Ｒ、５３Ｇ、５３Ｂは、それぞれ、赤色発光、緑色発光、青色発光を行う蛍光性有機金属化合物等からなる。発光層５３Ｒ、５３Ｇ、５３Ｂは、絶縁膜ＢＫ（バンク）によって互いに隔てられた状態で並置されている。すなわち、有機層５０は、バンクＢＫによって隔てられた複数の発光領域を形成している。これら発光領域などはインクジェット法により、それぞれの発光色発光層に対応する少なくとも２色以上の発光材料の液滴を個別に塗布し乾燥させて成膜できる。
【００２５】
発光層５３Ｒ、５３Ｇ、５３Ｂおよび絶縁膜ＢＫの表面を覆うように電子輸送層５４及び電子注入層５５が順に形成されている。電子注入層５５の表面を覆うように陰極を構成する帯状の反射電極６０がｘ方向に伸張するように形成されている。反射電極６０は、仕事関数が低くかつ高反射率を有するＡｌなどの金属または合金等からなる。反射電極６０は、光反射膜を構成するものである。
【００２６】
なお、以上説明した発光層などの有機機能層の層構成において、基板以外の構成要素を逆の順に積層することも可能である。いずれにしても、これら積層構成に限定されることなく、少なくとも発光層を含み、或いは兼用できる電荷輸送層を含む有機層及び電極の構成は本発明に含まれる。
【００２７】
このように、赤、緑、青の発光色をそれぞれ発する発光層５３Ｒ、５３Ｇ、５３Ｂは、ストライプ状に繰り返し配置されており、光取り出し面となる基板２０の表面からは、赤、緑、青の光が任意の割合で混色されて単一の発光色として認識される光が放出される。
【００２８】
［照明装置の動作］
本実施例のＲＧＢストライプ型の有機ＥＬパネル１３において、有機ＥＬ素子１３ａのＲＧＢ発光色の有機ＥＬ素子の組のピッチＬｐ及びサブピッチＳｐなどのピッチが広い場合、ＲＧＢストライプが目立ってしまいＲＧＢ発光色の混色が不十分となって、白色有機ＥＬパネル１３に見えないという懸念がある。一方で、有機ＥＬ素子１３ａのピッチを狭くすると相対的にバンクＢＫの面積が増え開口率が小さくなるため、所望の輝度を得ようとすると各素子にかかる電流負担が大きくなる。また、ピッチを狭くする場合、有機ＥＬ素子１３ａの数が増加するので、有機ＥＬパネルの製造歩留まりも悪くなり生産性が悪くなるという懸念もある。
【００２９】
図５に示すように、照明装置の使用者が直接、当該照明装置を眺めた場合でも、使用者である観察者Ｖから有機ＥＬパネル１３までの距離は１ｍ（１００００００μｍ）以上であると考えられる。
【００３０】
使用者とパネルの距離が１ｍであるとき、この距離が最小視認距離（３原色が混ざり合って人間の目で見える距離）となるパネルピッチを考える。このときパネルから１ｍ離れた場所からパネルのピクセルピッチは４’（０．０６６°）となり、ピクセルピッチ＝２×（ｔａｎ（０．０３３°）×１００００００）≒１１５０μｍとなる。よってサブピッチ２Ｘ／３：Ｓｐ＝（ピクセルピッチ）／３≒３８０μｍである。つまり、照明用途（パネルとの距離１ｍ以上）では３８０μｍピッチがＲＧＢストライプを認識できなくなるピッチである。
【００３１】
このように、ハウジング開口部１４を含むＸＹ平面に対して、ハウジング１２内に有機ＥＬパネル１３を斜めに設置することで、ＲＧＢストライプを見えにくくすることができる。なお、白色を構成する３原色のＲＧＢストライプに説明したが、ストライプはＲＧＢに特に限定されない。
【００３２】
開口率は９０％以上確保したい場合を計算すると、表１に示すように、有機ＥＬパネル１３のサブピッチＳｐ（バンク幅７０μｍで計算）は７００μｍ以上必要となる。
【００３３】
【表１】
2013088572.tif 000003
【００３４】
３８０μｍのサブピッチＳｐでＲＧＢストライプが見えなくなることから、ｃｏｓθ＝３８０／Ｓｐ［μｍ］を満たすべく、Ｓｐ＝７００μｍを代入して計算する。７００μｍピッチ有機ＥＬパネル１３を図５の観察者から見てＲＧＢストライプが見えなくなるサブピッチＳｐにするには有機ＥＬパネル１３を傾斜角度θ＝５７．１°以上傾ける必要がある。この場合、Ｓｐ×ｃｏｓθ≦３８０μｍを満たすならば、ＲＧＢストライプを観察者に見えなくする効果が顕著になる。ｃｏｓθ＝３８０／Ｓｐを満たす計算値の傾斜角度θを表２に示す。
【００３５】
【表２】
2013088572.tif 000004
【００３６】
このように、本実施例では、ＲＧＢストライプ型の有機ＥＬパネル１３を収納するハウジング１２において、開口部１４を含むＸＹ平面に対して、有機ＥＬパネル１３（ｘｙ平面）を斜めに配置（傾斜角度θ）することにより、ＲＧＢストライプを観察者に見えなくすることができるとともに、際限なくピッチを狭くすることがなくなり、有機ＥＬ素子１３ａの数を抑制して、製造歩留まりに貢献する。
【００３７】
［第２実施例］
有機ＥＬパネル１３の放射輝度分布が有機ＥＬパネル１３の正面方向に強い光強度分布又は通常のランバーシアン光強度分布である場合、開口平面から斜めに設置した有機ＥＬパネル１３から観察者に届く光量が弱くなる。また、正面方向の光をミラー等で反射させてもその光は７００μｍピッチのＲＧＢストライプの光である。
【００３８】
そこで、図１に示すハウジング１２の内壁、少なくとも有機ＥＬパネル１３から開口部１４までの内壁、に鏡面処理を施すことにより、効率の良い光り取り出しが達成できる。
【００３９】
また、図６に示す装置は、有機ＥＬパネル１３と交差し、かつ、ハウジング１２の開口部１４を含む平面に向かうミラーＭ（有機ＥＬパネルとの交線が当該開口平面に平行なミラー）を更に有する以外は、図１に示す構成と同一の実施例であり、これも効率の良い光り取り出しが達成できる。特に、有機ＥＬパネル１３の垂直方向（パネル法線方向ｚ）から角度ｂ°の斜め方向に強い放射輝度分布を有機ＥＬパネルが持つとき、有機ＥＬパネル１３に対して交差角度１８０−ｂ°（ミラーＭと有機ＥＬパネル１３のなす角度）でミラーＭを配置すると観測方向への光の損失が少なくなる効果が得られる。
【００４０】
さらに、有機ＥＬ素子１３ａは、駆動時において、有機ＥＬパネル１３の有機ＥＬ素子１３ａを含む法平面内の放射輝度分布より強度の高い当該法平面以外の放射輝度分布を有するように形成することが好ましい。有機ＥＬパネル１３から観察者の方向（有機ＥＬパネル１３の正面から斜め方向）に強い放射輝度分布を有するように有機ＥＬ素子１３ａの有機層を光学設計することで、斜め設置した有機ＥＬパネル１３の法線方向に強い放射輝度分布のものを用いた場合に比べて光り取り出しを有効とすることができる。
【００４１】
そこで、ランバーシアン光強度分布を有する有機ＥＬパネルとパネル法線方向から斜め方向に強い放射輝度分布を有する有機ＥＬパネルと２種類作成し評価する実験を行った結果を説明する。
【００４２】
図４に示す有機層構成のうちの陰極（反射電極）、発光層、正孔輸送層、正孔注入層及び陽極（透明電極）の層構成を厚さ１．１ｍｍのガラス基板上に形成した。ランバーシアン光強度分布を有するもの（６０：４５素子）とパネル法線方向から斜め方向に強い放射輝度分布を有するもの（１２０：１０素子）では、発光層及び正孔輸送層の膜厚のみの比率を変えた以外、同一の構成で２種類の有機ＥＬパネルを形成した。
【００４３】
表３に層構成を示す。
【００４４】
【表３】
2013088572.tif 000005
【００４５】
次に、図７を参照して、１２０：１０素子及び６０：４５素子の有機ＥＬパネルの光学特性を調べた実験について説明する。１２０：１０素子及び６０：４５素子の有機ＥＬパネルの双方とも、発光波長が略５００ｎｍピーク（５Ｖ）のブロードなスペクトルを呈した。このときの放射輝度の出射角に関する分布を、１２０：１０素子の有機ＥＬパネルと６０：４５素子の有機ＥＬパネルに対して測定した。図７に示すグラフの半径方向が放射輝度を示し、円周方向が出射角度を示す。曲線１２０：１０と曲線６０：４５が、それぞれ１２０：１０素子及び６０：４５素子の有機ＥＬパネルの放射輝度分布を示す。
【００４６】
かかる放射輝度分布から分かるように、６０：４５素子の有機ＥＬパネルではほぼすべての出射角度範囲において放射輝度が均等であった。１２０：１０素子の有機ＥＬパネルでは、前者の場合に比べて、出射角４５°付近における放射輝度が向上した。
【００４７】
このように、ランバーシアン光強度分布の６０：４５素子の有機ＥＬパネルを、ハウジング開口部ＸＹ平面に対して斜めに配置に用いてもよいが、法線斜め方向に強い放射輝度分布を有するように有機ＥＬパネルの有機層を光学設計することで、斜め設置した有機ＥＬパネルの光り取り出しを有効とすることができることが分かる。さらに、有機ＥＬパネルの偏在する強い放射輝度分布方向にミラーを配置する構成とすれば、有機ＥＬパネルから観察者方向に強い光り取り出しが達成できる。すなわち、有機ＥＬ素子はその長手方向に沿った法平面以外において放射輝度分布が極大値を有すように形成されることが好ましい。
【００４８】
ＲＧＢストライプ型の有機ＥＬパネルを収納するハウジングにおいて、その開口部を含むＸＹ平面に対して、有機ＥＬパネルを斜めに配置する場合に、その有機ＥＬパネルが観察者方向（有機ＥＬパネルの斜め方向）に放射輝度分布が強くなるように光学設計されていることが好ましい。
【００４９】
［第３実施例］
図８は、１つのハウジング１２内にて、有機ＥＬ素子の光取り出し面が開口部１４へ発光面が向くように、図示しない固定部材を介して２枚の有機ＥＬパネル１３を電気的に接続して固定配置した以外、図２及び図６に示す構成と同一の実施例を示す。有機ＥＬパネル同士の交線が当該開口平面に平行となるように配置されている。
【００５０】
図９は、１つのハウジング１２内にて、それぞれの有機ＥＬ素子の光取り出し面が開口部１４へ発光面が向くように、８枚の有機ＥＬパネル１３を複数の固定部材７０を介して電気的にかつ蛇腹様に接続して固定配置した以外、図２に示す構成と同一の実施例を示す。有機ＥＬ素子１３ａ（反射電極）はミラーとしても機能するので、正面方向への効率の良い光り取り出しが達成できる。
【００５１】
図１０は、１つのハウジング１２内にて、それぞれの有機ＥＬ素子の光取り出し面が開口部１４へ発光面が向くように、１枚のフレキシブルな基板を用いた有機ＥＬパネル１３ｂを蛇腹様に形成し開口平面に平面発光部１３Ａが傾斜するように配置された以外、図２及び図９に示す構成と同一の実施例を示す。
【００５２】
図１１は、１つのハウジング１２内にて、それぞれの有機ＥＬ素子の光取り出し面が開口部１４へ発光面が向くように、図示しない固定部材を介して４枚の三角形の有機ＥＬパネル１３を電気的にかつ四角錐状に接続して固定配置した以外、図２に示す構成と同一の実施例を示す。有機ＥＬ素子１３ａはミラーとしても機能するので、正面方向への効率の良い光り取り出しが達成できる。
【００５３】
［第４実施例］
図１２は、有機ＥＬパネル１３の法線方向からの発光の視認を抑制するために、開口部１４の周囲縁部に、有機ＥＬ素子１３ａのストライプ伸長方向に平行に突出する庇部ＥＡＶを設け以外、図１２に示す構成と同一の実施例を示す。なお、有機ＥＬ素子１３ａのストライプ伸長方向に平行に突出する庇部ＥＡＶはいずれ実施例においても設けることができる。
【００５４】
［第５実施例］
図１３（ａ）は本発明の第５実施例の照明装置構造を示す平面図であり、図１３（ｂ）は図１３（ａ）におけるＤ−Ｄ線に沿った断面図である。
【００５５】
図１３は、図１１に示す実施例の変形例として、１つのハウジング１２内にて、それぞれの有機ＥＬ素子の光取り出し面が開口部１４へ発光面が向くように、中心に１２枚の二等辺三角形の有機ＥＬパネル１３ｃをそれぞれの二等辺頂角を中心に配置して、３６枚の台形の有機ＥＬパネル１３ｄの底辺と頂辺とを交互に固定部材（図示せず）を介して電気的に接続して同心円状に固定配置した以外、図１１に示す構成と同一の実施例を示す。この例も有機ＥＬ素子１３ａがミラーとしても機能するので、正面方向への効率の良い光り取り出しが達成できる。シャンデリア型に複数の有機ＥＬパネルを配置とすることで、観察者の位置による輝度のバラツキを抑制できる。なお、本実施例にも第４実施例と同様の態様にて庇部（図示せず）を設けてもよい。
【００５６】
なお、いずれの実施例においても、保護のために、ハウジング開口部１４にガラスやアクリルなどの透光性蓋部材や、金属や樹脂等からなる格子を配置してもよい。
【符号の説明】
【００５７】
１１  照明装置
１２  ハウジング
１５  パネル支持部
１３  有機ＥＬパネル
１４  開口部
１６  駆動回路
２０  基板
３０  透明電極
４０  バスライン
５０  有機層
５３Ｒ、５３Ｇ、５３Ｂ  発光層
６０  反射電極
ＢＫ  絶縁膜
Ｃｃ  ケーブルコネクタ
【図１】
2013088572.tif 000006
【図２】
2013088572.tif 000007
【図３】
2013088572.tif 000008
【図４】
2013088572.tif 000009
【図５】
2013088572.tif 000010
【図６】
2013088572.tif 000011
【図７】
2013088572.tif 000012
【図８】
2013088572.tif 000013
【図９】
2013088572.tif 000014
【図１０】
2013088572.tif 000015
【図１１】
2013088572.tif 000016
【図１２】
2013088572.tif 000017
【図１３】
2013088572.tif 000018
【手続補正書】
【提出日】平成26年12月26日(2014.12.26)
【手続補正１】
【補正対象書類名】特許請求の範囲
【補正対象項目名】全文
【補正方法】変更
【補正の内容】
【特許請求の範囲】
【請求項１】
照明パネルと前記照明パネルを収納しかつ前記照明パネルの照明光を外部に取り出す開口を有するハウジングとを含む照明装置であって、
前記照明パネルは、少なくとも一つの平坦な光取り出し面を備え、
前記平坦な光取り出し面は、ストライプ状に平行並置された互いに異なる発光色の複数の帯状の有機ＥＬ素子からなり、
前記複数の帯状の有機ＥＬ素子の長手方向が前記開口を含む平面に平行でありかつ、前記平坦な光取り出し面は、前記開口を含む平面に対し傾斜して配置されていることを特徴とする照明装置。
【請求項２】
前記有機ＥＬ素子は、駆動時において、前記有機ＥＬ素子の長手方向に沿った法平面以外において放射輝度分布が極大値を有することを特徴とする請求項１に記載の照明装置。
【請求項３】
前記開口を含む平面と前記平坦な光取り出し面とのなす角度θは、隣接する前記有機ＥＬ素子の間の周期間隔をＳｐとしたとき、Ｓｐ×ｃｏｓθ≦３８０［μｍ］を満たすことを特徴とする請求項２に記載の照明装置。
【請求項４】
前記ハウジングの内壁の少なくとも１部が鏡面処理を施されていることを特徴とする請求項２に記載の照明装置。
【請求項５】
前記平坦な光取り出し面と交差し、かつ、前記平坦な光取り出し面との交線が前記開口を含む平面に平行な少なくとも１つの平面ミラーをさらに有することを特徴とする請求項２に記載の照明装置。
【請求項６】
前記平坦な光取り出し面と交差し、かつ、前記平坦な光取り出し面との交線が前記開口を含む平面に平行な付加照明パネルをさらに有することを特徴とする請求項２に記載の照明装置。
【手続補正２】
【補正対象書類名】明細書
【補正対象項目名】００１４
【補正方法】変更
【補正の内容】
【００１４】
さらに、有機ＥＬパネル１３は、有機ＥＬ素子１３ａのそれぞれの長手方向がハウジング１２の開口部１４を含む開口平面ＸＹに平行となるように、ハウジング１２に固定されている。照明装置１１真下の観察者が開口部１４を介して有機ＥＬパネル１３を見た場合、観察者はストライプ状の有機ＥＬ素子１３ａをパネル平面ｘｙ方向の法線方向からでなく、それから傾斜した方向から有機ＥＬパネル１３を見ることになる。
【国際調査報告】
2013088572.tif 000019
2013088572.tif 000020